(57)【要約】【課題】  フライトを安価に且つ簡単に作成することができるダーツのフライト作成方法及びそれに用いるフライト配列シートを提供する点にある。【解決手段】  フライトパーツ３Ａの展開図柄Ｄを平行配列状態で記載可能な４つの表示エリア１Ａ，１Ｂ，１Ｃ，１Ｄが形成され、各表示エリア１Ａ，１Ｂ，１Ｃ，１Ｄに対応する表示シート体１の各境界線上に表示シート体１を４つの展開図柄Ｄの中心線Ｘが合致する重合状態で折畳むための第１折り目線ａが形成され、第２番目と第４番目の表示エリアの展開図柄Ｄの中心線Ｘ上には中折りするための第２折り目線ｂが形成されている。【選択図】図４
2009247556.tif 000002
【特許請求の範囲】
【請求項１】
ダーツの後尾に取替え可能に設けられる飛翔羽であるフライトを、４枚のフライトパーツを接着して作成されるダーツのフライト作成方法であって、
表示シート体の表面に４枚のフライトパーツの展開図柄を平行配列状態で記載可能な４つの表示エリアが形成され、各表示エリアに対応する表示シート体の各境界線上に表示シート体を４つの展開図柄の中心線が合致する重合状態で折畳むための第１折り目線が形成され、第２番目と第４番目の表示シート体の展開図柄中心線上には中折りするための第２折り目線が形成されているフライト配列シートを用い、２番目と第４番目の表示エリアをそれぞれ第２折り目線に沿って表面同士が接する状態で二つ折りにし、第３番目の表示エリアに対して二つ折りされた第２番目と第４番目の表示エリアをそれらの裏面同士が接する状態に第１折り目線に沿って折り込んで、それらの相対向する裏面同士を接着するとともに、第２番目と第４番目の表示エリアに対して第１番目の表示エリアをそれらの裏面同士が接する状態に第１折り目線に沿って折り込んで、それらの相対向する裏面同士を接着することによりフライト予備成形体を形成し、このフライト予備成形体を展開図柄の輪郭形状に沿って切断し、その分離された４層の表示エリアをもって４枚のフライトパーツが接着されたフライトを作成することを特徴とするダーツのフライト作成方法。
【請求項２】
ダーツの後尾に取替え可能に設けられる飛翔羽であるフライトを、４枚のフライトパーツを接着して作成されるフライト配列シートであって、
表示シート体の表面にそれの長手方向に沿って４枚のフライトパーツの展開図柄を平行配列状態で記載可能な４つの表示エリアが形成され、各表示エリアに対応する表示シート体の各境界線上に表示シート体を４つの展開図柄の中心線が合致する重合状態で折畳むための第１折り目線が形成され、第２番目と第４番目の表示エリアの展開図柄中心線上には中折りするための第２折り目線が形成されているフライト配列シート。
【請求項３】
ダーツの後尾に取替え可能に設けられる飛翔羽であるフライトを、フライトパーツを接着して作成されるフライト作成方法であって、
表示シート体の表面に４枚のフライトパーツの展開図柄を平行配列状態で記載可能な４つの表示エリアが形成され、各表示エリアの展開図柄の中心線に沿って展開図柄を２等分する半図柄に折畳み可能な谷折り目線が形成され、表示シート体における表示エリアの各境界線上に沿って展開図柄の半図柄が合致する重合状態に折畳み可能な山折り目線が形成され、各表示エリアのうち前記谷折り目線での折畳みで重合する半表示エリアの裏面の少なくとも一方に、重合する半表示エリア同士を接着可能な粘着性接着層又はホットメルト接着層を備えた接着手段が設けられているフライト配列シートを用い、各表示エリアを谷折り目線に沿って表示エリアを半表示エリア状態に谷折りし、且つ、山折り目線に沿って半表示エリアの半図柄が合致する重合状態に山折りするとともに、半表示エリアの裏面同士を接着手段で接着することによりフライト予備成形体を形成し、このフライト予備成形体を展開図柄の輪郭図柄の輪郭形状に沿って切断し、その分離された４層の表示エリアをもってフライトパーツが接着されたフライトを作成することを特徴とするダーツのフライト作成方法。
【請求項４】
ダーツの後尾に取替え可能に設けられる飛翔羽であるフライトを、フライトパーツを接着して作成されるフライト配列シートであって、
表示シート体の表面に４枚のフライトパーツの展開図柄を平行配列状態で記載可能な４つの表示エリアが形成され、各表示エリアの展開図柄の中心線に沿って展開図柄を２等分する半図柄に折畳み可能な谷折り目線が形成され、表示シート体における表示エリアの各境界線上に沿って展開図柄の半図柄が合致する重合状態に折畳み可能な山折り目線が形成され、各表示エリアのうち前記谷折り目線での折畳みで重合する半表示エリアの裏面の少なくとも一方に、重合する半表示エリア同士を接着可能な粘着性接着層又はホットメルト接着層を備えた接着手段が設けられているフライト配列シート。
【発明の詳細な説明】
【技術分野】
【０００１】
本発明は、４枚のフライトパーツを接着してフライトを作成するフライト作成方法、及び、それに用いるフライト配列シートに関する。
【背景技術】
【０００２】
一般に、ダーツは、ダーツボードに設けられた得点別のエリアにダーツ（投げ矢）を射って、射られたエリアの得点によって勝負を競うゲームや競技として知られている。
近年においては、古くから知られている金属製の鋭角で硬度のある針先が使用されたスチールポイントダーツに加えて、合成樹脂製で弾性変形可能な円柱棒状の針先を使用して、競技の安全面に配慮されたソフトポイントダーツ（以下、ソフトダーツと記載する）が普及し、子供からお年寄りまで幅広い年齢層に亘って愛好層が存在し、世界的にも趣味人口が多くなっている。
また、ダーツの後尾に設けられている矢羽根形状のフライトは、他の構成部分と異なり、厚さが薄く折れ曲がりやすく、競技や遊技で損傷を受けやすいパーツ部分でもあるので、ダーツに対して取付け取外しが自在になっている。
この取外しができる構造を利用して、近時、ダーツ取扱店、競技グループ、個人的な遊技者において、ロゴや独自の図柄や模様等の展開図柄を施したフライトをダーツに取付けて、自他を区別する標識的な機能を付加してダーツの趣向を高めることが行なわれるようになっている。ここで、ダーツに関する特許文献として、ダーツボードに関する特許文献（実用新案登録番号第３０４２３２３号）が存在するが、ダーツのフライトに関する特許文献は見当たらなかった。
【発明の開示】
【発明が解決しようとする課題】
【０００３】
このようなフライトの多くは、専門のフライト業者に、希望する形状や展開図柄を依頼して製作することが行なわれている。
しかしながら、このような注文品は、既に立体的な矢羽形状に組立て製作されているとともに、その立体化されたフライト矢部分にオリジナルな模様等の印刷を施す商品形態になっているので購買コストが高い問題がある。
また、オリジナルな模様等を施すオーダーメイドの場合、より一層に購買コストが高くなる問題がある。
本発明は上記の事情に着目してなされたものであり、その目的とするところは、フライトを安価に且つ簡単に作成することができ、ダーツの普及を促進することができるフライト作成方法、及び、それに用いるフライト配列シートを提供する点にある。
【課題を解決するための手段】
【０００４】
本発明の第１番目のダーツのフライト作成方法の特徴構成は、
ダーツの後尾に取替え可能に設けられる飛翔羽であるフライトを、４枚のフライトパーツを接着して作成されるダーツのフライト作成方法であって、
表示シート体の表面に４枚のフライトパーツの展開図柄を平行配列状態で記載可能な４つの表示エリアが形成され、各表示エリアに対応する表示シート体の各境界線上に表示シート体を４つの展開図柄の中心線が合致する重合状態で折畳むための第１折り目線が形成され、第２番目と第４番目の表示シート体の展開図柄中心線上には中折りするための第２折り目線が形成されているフライト配列シートを用い、２番目と第４番目の表示エリアをそれぞれ第２折り目線に沿って表面同士が接する状態で二つ折りにし、第３番目の表示エリアに対して二つ折りされた第２番目と第４番目の表示エリアをそれらの裏面同士が接する状態に第１折り目線に沿って折り込んで、それらの相対向する裏面同士を接着するとともに、第２番目と第４番目の表示エリアに対して第１番目の表示エリアをそれらの裏面同士が接する状態に第１折り目線に沿って折り込んで、それらの相対向する裏面同士を接着することによりフライト予備成形体を形成し、このフライト予備成形体を展開図柄の輪郭形状に沿って切断し、その分離された４層の表示エリアをもって４枚のフライトパーツが接着されたフライトを作成することを特徴とする点にある。
【０００５】
上記特徴構成によれば、手順に沿ってフライト配列シートの折畳みを案内する第１折り目線や第２折り目線に従って折り込むとともに、必要箇所を接着することによって形成されたフライト予備形成体を、展開図柄の輪郭形状に沿って切断することによってフライトを作成することができる。
【０００６】
従って、従来のように購買コストが高い注文品に比べれば、シート状体のフライト配列シートから立体的なフライトを簡単に、且つ、安価に作成することができるとともに、従来とは異なる商品形態のフライト商品を市場に提供することができ、この種、ダーツ業種における市場性の向上を図ることができる。
また、作成時間をかけずにフライトを作成することができることにより、例えば、競技や遊技をする現場において作成することも可能となり、ダーツの競技や遊技する上での対応性や対処性の向上を図ることができる。
さらに、フライト配列シートから立体的なフライトを作成することができるので、フライト配列シートの状態で在庫や運搬が可能となるので、在庫性や運搬性の向上を図ることができる。
【０００７】
本発明では、前記表示シート体の４つの表示エリアのうち、４層に折り込んだときに少なくとも一方の表面に位置する表示エリアに展開図柄が記載されていてもよい。
【０００８】
上記構成によれば、表示シートをフライト予備成形体に形成した状態で、４層に折り込んだときに少なくとも一方の表面に位置する表示エリアの展開図柄の輪郭形状に沿って切断することによって、各表示エリアに展開図柄の記載がなくてもフライトを作成することができる。
【０００９】
従って、例えば、展開図柄のあり方が異なるフライトを作成することができるので、趣向の多様化を図ることができる。
【００１０】
また、本発明では、前記表示シート体の４つの表示エリアにおける配列方向の幅が同一に構成されていてもよい。
【００１１】
上記構成によれば、表示シート体の折畳み状が同一幅の表示エリアが重合する折畳み状態になるので、作成状況を把握しやすく、表示エリアの幅の異なる場合に比べて作成しやすくすることができる。
【００１２】
従って、幼年層から老年層に至るまで幅広い年齢層に亘ってフライトの作成を容易に行うことができるとともに、競技や遊技を実践する現場のような場所においても、迅速にフライトを作成する場合など特に取扱い性の向上を図ることができる。
【００１３】
さらに、本発明では、前記第１折り目線が表示シート体の表面側に突出する山折り部に形成され、前記第２折り目線が表示シート体の裏面側に突出する谷折り部に形成されていてもよい。
【００１４】
上記構成によれば、予めに折り込まれた山折り部と谷折り部の折り形態に従って製作を折り進めることができる。
【００１５】
従って、進捗性よくフライトを作成することができるので、製作性の向上を図ることができる。
【００１６】
本発明の第２番目のフライト配列シートの特徴構成は、ダーツの後尾に取替え可能に設けられる飛翔羽であるフライトを、４枚のフライトパーツを接着して作成されるフライト配列シートであって、
表示シート体の表面に４枚のフライトパーツの展開図柄を平行配列状態で記載可能な４つの表示エリアが形成され、各表示エリアに対応する表示シート体の各境界線上に表示シート体を４つの展開図柄の中心線が合致する重合状態で折畳むための第１折り目線が形成され、第２番目と第４番目の表示エリアの展開図柄中心線上には中折りするための第２折り目線が形成されている点にある。
【００１７】
上記特徴構成によれば、２番目と第４番目の表示エリアをそれぞれ第２折り目線に沿って表面同士が接する状態で二つ折りにし、第３番目の表示エリアに対して二つ折りされた第２番目と第４番目の表示エリアをそれらの裏面同士が接する状態に第１折り目線に沿って折り込んで、それらの相対向する裏面同士を接着するとともに、第２番目と第４番目の表示エリアに対して第１番目の表示エリアをそれらの裏面同士が接する状態に第１折り目線に沿って折り込んで、それらの相対向する裏面同士を接着することによりフライト予備成形体を形成し、このフライト予備成形体を展開図柄の輪郭形状に沿って切断し、その分離された４層の表示エリアをもって４枚のフライトパーツが接着されたフライトを作成することができる。
【００１８】
従って、表示シート体から手順良くフライトを作成することができるので、従来の特注品で作成されたコスト的に高いフライトに比べて、手作り感が強い傾向にありながら、精度の良いフライトを手順よく安価に作成することができる。
【００１９】
本発明の第３番目のフライト作成方法の特徴構成は、ダーツの後尾に取替え可能に設けられる飛翔羽であるフライトを、フライトパーツを接着して作成されるフライト作成方法であって、
表示シート体の表面に４枚のフライトパーツの展開図柄を平行配列状態で記載可能な４つの表示エリアが形成され、各表示エリアの展開図柄の中心線に沿って展開図柄を２等分する半図柄に折畳み可能な谷折り目線が形成され、表示シート体における表示エリアの各境界線上に沿って展開図柄の半図柄が合致する重合状態に折畳み可能な山折り目線が形成され、各表示エリアのうち前記谷折り目線での折畳みで重合する半表示エリアの裏面の少なくとも一方に、重合する半表示エリア同士を接着可能な粘着性接着層又はホットメルト接着層を備えた接着手段が設けられているフライト配列シートを用い、各表示エリアを谷折り目線に沿って表示エリアを半表示エリア状態に谷折りし、且つ、山折り目線に沿って半表示エリアの半図柄が合致する重合状態に山折りするとともに、半表示エリアの裏面同士を接着手段で接着することによりフライト予備成形体を形成し、このフライト予備成形体を展開図柄の輪郭図柄の輪郭形状に沿って切断し、その分離された４層の表示エリアをもってフライトパーツが接着されたフライトを作成することを特徴とする点にある。
【００２０】
上記特徴構成によれば、各表示エリアを谷折り目線に沿って表示エリアを半表示エリア状態に谷折りし、且つ、山折り目線に沿って半表示エリアの半図柄が合致する重合状態に山折りするとともに、半表示エリアの裏面同士を接着手段で接着することによりフライト予備成形体を形成し、このフライト予備成形体を展開図柄の輪郭図柄の輪郭形状に沿って切断し、その分離された４層の表示エリアをもってフライトパーツが接着されたフライトを作成することができる。
【００２１】
従って、従来のように購買コストが高い注文品に比べれば、シート状体のフライト配列シートから立体的なフライトを簡単に、且つ、安価に作成することができるとともに、従来とは異なる商品形態のフライト商品を市場に提供することができ、この種、ダーツ業種における市場性の向上を図ることができる。
また、作成時間をかけずにフライトを作成することができることにより、例えば、競技や遊技をする現場において作成することも可能となり、ダーツの競技や遊技する上での対応性や対処性の向上を図ることができる。
さらに、フライト配列シートから立体的なフライトを作成することができるので、フライト配列シートの状態で在庫や運搬が可能となるので、在庫性や運搬性の向上を図ることができる。
【００２２】
また、本発明では、前記各表示エリアの他方の半表示エリアには、当該半表示エリアと同一形状の芯材シートが貼付けられていてもよい。
【００２３】
上記構成によれば、各表示エリアを谷折り目線に沿って表示エリアを半表示エリア状態に谷折りし、且つ、山折り目線に沿って半表示エリアの半図柄が合致する重合状態に山折りするとともに、半表示エリアの裏面同士を接着手段で接着することによりフライト予備成形体を形成し、このフライト予備成形体を展開図柄の輪郭図柄の輪郭形状に沿って切断し、その分離された４層の表示エリアをもってフライトパーツが接着されたフライトを作成することができる。
しかも、心材シートが存在することによって、フライトパーツの補強がなされることになるので、剛性のあるフライトを作成することができる。
【００２４】
従って、従来のように購買コストが高い注文品に比べれば、シート状体のフライト配列シートから立体化された品質の良いフライトを簡単に、且つ、安価に作成することができるとともに、従来とは異なる商品形態のフライト商品を市場に提供することができ、この種、ダーツ業種における市場性の向上を図ることができる。
また、芯材シートを用いているので、折畳み性がよく作成時間をかけずにフライトを作成することができることにより、例えば、競技や遊技をする現場において短時間で作成することも可能となり、ダーツの競技や遊技する上での対応性や対処性のより向上を図ることができる。
【００２５】
本発明の第４番目のフライト配列シートの特徴構成は、ダーツの後尾に取替え可能に設けられる飛翔羽であるフライトを、フライトパーツを接着して作成されるフライト配列シートであって、
表示シート体の表面に４枚のフライトパーツの展開図柄を平行配列状態で記載可能な４つの表示エリアが形成され、各表示エリアの展開図柄の中心線に沿って展開図柄を２等分する半図柄に折畳み可能な谷折り目線が形成され、表示シート体における表示エリアの各境界線上に沿って展開図柄の半図柄が合致する重合状態に折畳み可能な山折り目線が形成され、各表示エリアのうち前記谷折り目線での折畳みで重合する半表示エリアの裏面の少なくとも一方に、重合する半表示エリア同士を接着可能な粘着性接着層又はホットメルト接着層を備えた接着手段が設けられている点にある。
【００２６】
上記特徴構成によれば、各表示エリアを谷折り目線に沿って表示エリアを半表示エリア状態に谷折りし、且つ、山折り目線に沿って半表示エリアの半図柄が合致する重合状態に山折りするとともに、半表示エリアの裏面同士を接着手段で接着することによりフライト予備成形体を形成し、このフライト予備成形体を展開図柄の輪郭図柄の輪郭形状に沿って切断し、その分離された４層の表示エリアをもってフライトパーツが接着されたフライトを作成することができる。
【００２７】
従って、表示シート体から手順良くフライトを作成することができるので、従来の特注品で作成されたコスト的に高いフライトに比べて、手作り感が強い傾向にありながら、精度の良いフライトを手順よく安価に作成することができる。
【発明を実施するための最良の形態】
【００２８】
以下、本発明を適用したダーツのフライト作成方法及びそれに用いるフライト配列シートを図面に基づいて説明する。
【００２９】
〔第１実施形態〕
ダーツ２は、例えば、図３に示すように、胴部の長手方向に沿って複数の環状溝が形成された金属製のバレル６の先端に、弾性変形可能な合成樹脂から形成され、基端の縮径部７ａを経て先端部の円柱棒状の針先７ｂからなるポイント７が設けられ、バレル６の後端部に、後に向かうほど直径が縮径するテーパー部８ｂを形成する硬質の合成樹脂からなるシャフト８が設けられ、これの後部に飛翔羽根であるフライト３が十字状溝８ａを介して取付けられ、フライト３とシャフト８との間に介装されたコイルスプリングからなる止め環９が装着されて、ダーツ２のシャフト８からフライト３の取付けと取外しが可能になっている。ちなみに、針先７ｂを含むポイント７が弾性変形可能な素材から構成されたダーツ２を一般的にはソフトダーツと呼んで、針先を含むポイントが金属素材から構成されたハードダーツと区別されている。
【００３０】
シャフト８に対してフライト３を取付けるには、図３（イ）に示すように、まず、シャフト８の後端からテーパー部８ｂの大径側に向けて止め環９を外嵌し、続いて、シャフト８の十字状溝８ａに対してフライト３の放射状の中心羽根部分を差込むとともに、既にシャフト８に外嵌された止め環９をテーパー部８ｂの大径側にバネの縮径力に抗して移動し、十字状溝８ａ部分を縮径状態にして、図３（ロ）に示すように、フライト３をシャフト８に拘束することによって取り付け状態にすることができる。
【００３１】
また、シャフト８に取付けられたフライト３は、止め環９をテーパー部８ｂの小径側に引き戻し移動して、十字状溝８ａ部分を拡径状態にして十字状溝８ａからフライト３を抜き取ることができる。
【００３２】
フライト３は、矢羽根形状で同形の４枚のフライトパーツ３Ａを接着して形成されるが、この実施形態において、フライト３はフライト配列シートＡから作成可能になっている。
【００３３】
このフライト配列シートＡは、図１、図２、図４に示すように、例えば、ポリエチレンテレフタレール材等の合成樹脂材からなる弾性変形可能で保型性のある長方形状の表示シート体（厚さ約３０μｍ〜２００μｍ程度のシート）１の長手方向に沿って等間隔で、且つ、平行配列の４箇所に、フライトパーツ３Ａの輪郭３ａや模様等の展開図柄Ｄが表示され、一端側の１番から他端側の４番までの表示エリア１Ａ，１Ｂ，１Ｃ，１Ｄが形成され、
隣会う表示エリア（１Ａ，１Ｂ），（１Ｂ，１Ｃ），（１Ｃ，１Ｄ）の境界線上に沿う第１折り目線である山折り部ａを形成し、２番目と４番目の表示エリア１Ｂ，１Ｄにおける展開図柄Ｄの中心線Ｘ上に沿う第２折り目線である谷折り部ｂを形成し、表示シート体１における、１番目と３番目の表示エリア１Ａ，１Ｃの裏側面に，接着手段Ｓであるアクリル系の粘着性接着層Ｓ１が塗設され、貼着された剥離紙Ｓ２を剥がして粘着性接着層Ｓ１の使用が可能に構成されている。
【００３４】
前記表示シート体１は、例えば、弾性変形力と保型性を備えた合成樹脂材から形成され、熱可塑性樹脂では、ポリエチレン、ポリエチレンテレフタレート、ポリプロピレン、ポリスチレン、アクリル、ＡＢＳ樹脂、塩化ビニル樹脂、メタクリルスチレン樹脂、ポリメチルペンテン等を用いることが可能であり、熱硬化性樹脂としては、ポリウレタン等を用いることが可能である。
【００３５】
ところで、表示シート体１の表面には、例えば、インクジェット方式のプリンター等のインクのにじみ等の印刷不良を押える等で印刷精度を高めるために、表面処理やコーティング処理が形成されたコーティング層が形成されているものであってもよい。
【００３６】
また、この実施形態のフライト配列シートＡには、図1に示すように、各表示エリアを長手方向に沿って均等に４分割する境界線上と、２番目と４番目の表示エリアの幅方向で均等２等分する線上、つまり、展開図柄Ｄの中心線Ｘ上に沿って、直線Ｌが描かれており、各山折り部ｂと各谷折り部ａは直線Ｌに沿って形成され、手作業で折畳む際の目印となっている。ここで、直線Ｌの記載は無くても山折り部ｂと谷折り部ａの折り目線が形成されるので、これを目印に利用してもよい。
【００３７】
フライトパーツ３Ａの輪郭３ａは、例えば、図1〜図３に示すように、長辺が約４５ｍｍ程度で、短辺が約３６ｍｍ程度の一端が約９０°角度の鋭角なＶ字状に形成され、他端が約１３０°角度の鈍角なＶ字状に形成されている。ここで、フライトパーツ３Ａの形状は、例えば、幅広なもの、幅狭なもの，コーナー部がアール形成されたものなど、図示するもの以外に種々のものが考えられる。
【００３８】
前記粘着性接着層Ｓ１は、表示シート体１に対する接着力に対して剥離紙Ｓ２に対する接着力が弱い接着関係になっている。この実施形態の場合、フライトパーツ３Ａの輪郭３ａと輪郭３ａ内のシート面３ｂがパソコン印刷されて展開図柄Ｄが構成される。
【００３９】
このような構成であれば、フライト配列シートＡからフライトパーツ３Ａを展開図柄Ｄの輪郭Ｄａに沿って切断してフライト３を作成することができる。また、パソコン印刷されたフライト配列シートＡをそのままの状態で保管することによって、必要時にフライト３を形成することができる。
【００４０】
また、例えば、購入者がパソコンなどで各フライトパーツ３Ａ内に対応して展開図柄Ｄを設定して、プリンター等によって４個所の表示エリアの全部、又は、４個所の表示エリアのうち、１番目か３番目の何れか1個所の表示エリアに展開図柄Ｄをパソコン印刷可能な商品体係にしておくことにより、趣味性を向上することができる。ここで、展開図柄Ｄとは、例えば、文字、絵、模様、色彩を単独、又は、複合して形成された表示を指す。
【００４１】
さらに、パソコンなどの印刷設定は、例えば、販売者のＷＥＢサイトからエントリーすることができるようにしておくことによって、多数の見本となる中から所望のフライトパーツの展開図柄Ｄの中の一つをダウンロードして、フライトパーツ３Ａ内にオリジナルな展開図柄Ｄをプリンターによってフライト配列シートＡにパソコン印刷するようにしたり、サイト内にオリジナルな展開図柄Ｄを作成可能なソフトを用意して、オリジナルな展開図柄Ｄを作成した後、完成した展開図柄Ｄをプリンターによってパソコン印刷するようにしたりできる。
【００４２】
そのため、例えば、表示シート体１の各表示エリア１Ａ，１Ｂ，１Ｃ，１Ｄにフライトパーツ３Ａの輪郭３ａが印刷されている場合、その輪郭３ａ内に展開図柄Ｄをパソコン印刷したり、表示シート体１に前記ラインＬだけが印刷されている場合、輪郭３ａを含む展開図柄Ｄをパソコン印刷したりするなど展開図柄Ｄの印刷のあり方は多様に考えられる。
【００４３】
次に、フライト配列シートＡからフライト３を作成する作成方法を図１、図２、図４に基づいて説明する。
【００４４】
図１に示すように、フライト配列シートＡの表側面における表示エリア１Ａ，１Ｂ，１Ｃ，１Ｄにフライトパーツ３Ａの展開図柄Ｄをパソコン印刷する。
【００４５】
図４（イ）に示すように、例えば、机上等にフライト配列シートＡの裏側面を上に載置したのち、図４（ロ）に示すように、３番目の表示エリア１Ｃの剥離紙Ｓ２を剥がして粘着性接着層Ｓ１を露出し、２番目と第４番目の表示エリア１Ｂ，１Ｄをそれぞれ谷折り部ｂに沿って表面同士が接する重合状態で二つ折りにする。
そして、第３番目の表示エリア１Ｃに対して二つ折りされた第２番目と第４番目の表示エリア１Ｂ，１Ｄの半面部分１Ｂｂ，１Ｄａをそれらの裏面同士が接する状態に山折り部ａに沿って折り込んで、それらの相対向する裏面同士を接着する。
【００４６】
次に、図４（ニ）に示すように、１番目の表示エリア１Ａの剥離紙Ｓ２を剥がして粘着性接着層Ｓ１を露出し、次に、図４（ホ）に示すように、1番目と２番目の表示エリア１Ａ，１Ｂを山折り部ａに沿って折り込んで、２番目と４番目の表示エリア１Ｂ，１Ｄの残された半面部分１Ｂａ，１Ｄｂの裏面に、１番目の表示エリア１Ｃの裏側面の粘着性接着層Ｓ１を介して接着する。
この状態で、４箇所のフライトパーツ３Ａが接着されたフライト予備形成体Ｂが形成される。
【００４７】
そして、このフライト予備形成体Ｂの表側の１番目の表示エリア１Ａ、或いは、裏側の４番目の表示エリア１Ｄのフライトパーツ３Ａの展開図柄Ｄの輪郭３ａに沿って切断して、図３（ヘ）に示すように、フライト予備形成体Ｂから折畳み状態のフライト３を形成して、これを広げて、同図（ト）に示すように、十字状に立体化されたフライト３が完成される。
【００４８】
ここで、フライト予備形成体Ｂからの切断は、ハサミ等の切断手段を用いて手作業で実施してもよい。また、フライトパーツ３Ａにおける展開図柄Ｄの輪郭３ａ形状に形成された固定受刃に対して、相対移動可能な可動刃を備えた専用の切断機を用いて、固定受刃に対して、フライト予備形成体Ｂの１番目の表示エリア１Ａ、或いは、これの裏側面に位置する４番目の表示エリア１Ｄのフライトパーツ３Ａにおける展開図柄Ｄの輪郭３ａを位置合わせ状態にして、可動刃を固定刃に押付けて、フライト予備形成体Ｂからフライト３を切り取るようにしてもよい。
【００４９】
尚、上記実施形態では、表示シート体１の４つの表示エリア１Ａ〜１Ｄに展開図柄Ｄをパソコン印刷によって表示する例を説明したが、表示シート体１の少なくとも１番目か３番目の表示エリアの何れかに展開図柄Ｄの表示があれば切断可能であり、前記表示シート体１の４つの表示エリア１Ａ，１Ｂ，１Ｃ，１Ｄのうち、４層に折り込んだときに少なくとも一方の表面に位置する表示エリア１Ａ，１Ｃに展開図柄が記載されている、具体的には、フライト予備形成体Ｂにおける表示されている１番目或いは３番目の表示エリア１Ａ，１Ｃの何れかに表示されたフライトパーツの展開図柄Ｄの輪郭３ａに沿って切断して、各表示エリアから分離することで４枚のフライトパーツが接着されたフライト３を作成可能である。
【００５０】
また、パソコン印刷されたフライト配列シートＡをそのままの状態で保管することによって、必要時にフライト３を作成することが可能であるので、十字状に立体化されたフライトを保管するよりも保管スペースをとることがない。
【００５１】
〔第２実施形態〕
図５、図６は、本発明を適用した別のフライト配列シートＡを示し、上記第１実施形態と異なる点を説明し、同様の構成部分には同符号を附してその説明は省略する。
この実施形態のフライト配列シートＡは、図５（イ）に示すように、２番目と４番目の表示エリア１Ｂ，１Ｄを第２折り目線である谷折り部ｂに沿って２等分する半面部分１Ｂａ，１Ｂｂ，１Ｄａ，１Ｄｂの裏側面に対応して粘着性接着層Ｓ１塗設され、これら半面部分１Ｂａ，１Ｂｂ，１Ｄａ，１Ｄｂに対応して貼着された剥離紙Ｓ３〜Ｓ６を剥がして粘着性接着層Ｓ１の使用が可能になっている。
【００５２】
このようなフライト配列シートＡからフライト３を作成する作成方法を説明する。
まず、図５（イ）に示すように、例えば、机上等にフライト配列シートＡの裏側面を上に載置する。
【００５３】
図５（ロ）に示すように、２番目の表示エリア１Ｂの半面部分１Ｂｂに対応する剥離紙Ｓ４を剥がして粘着性接着層Ｓ１を露出する。
【００５４】
次に、図５（ハ）に示すように、２番目の表示エリア１Ｂを谷折り部ｂに沿って二つ折りし、３番目の表示エリア１Ｃの裏側面に、２番目の表示エリア１Ｂの半折り面１Ｂｂを、粘着性接着層Ｓ１を介して接着するとともに、４番目の表示エリア１Ｄの半面部分１Ｄａに対応する剥離紙Ｓ５を剥がして粘着性接着層Ｓ１を露出する。
【００５５】
次に、図５（ニ）に示すように、４番目の表示エリア１Ｄを谷折り部ｂに沿って二つ折りし、３番目の表示エリア１Ｃの裏側面に、４番目の表示エリア１Ｄの半面部分１Ｄａの裏面を裏面同士が接する状態に粘着性接着層Ｓ１を介して接着する。
【００５６】
次に、図６（ホ）に示すように、1番目の表示エリア１Ａ側の２番目の表示エリア１Ｂの半面部分１Ｂａに対応する剥離紙Ｓ３，４番目の表示エリア１Ｄの残された半面部分１Ｄｂに対応する剥離紙Ｓ６を剥がす。
【００５７】
次に、図６（ヘ）に示すように、１番目の表示エリア１Ａを第１折り目線である山折り部ａから山折りして、２番目の表示エリア１Ｂの半面部分１Ｂａに対応する接着剤層Ｓ１，４番目の表示エリア１Ｄの半面部分１Ｄｂに対応する接着剤層Ｓ１に対して、１番目の表示エリア１Ａの裏側面を接着する。
この状態で、４箇所のフライトパーツ３Ａが接着されたフライト予備形成体Ｂを形成する。
【００５８】
そして、このフライト予備形成体Ｂの１番目の表示エリア１Ａ、或いは、これの裏側面に位置する４番目の表示エリア１Ｄのフライトパーツ３Ａの展開図柄Ｄの輪郭３ａに沿って切断して、図６（ト）に示すように、フライト予備形成体Ｂから折畳み状態のフライト３を切り取り、これを立体的に広げて、同図（チ）に示すように、フライト３が完成される。
【００５９】
〔第３実施形態〕
図７〜図９は、本発明を適用した別のフライト配列シートＡを示し、上記第１実施形態と異なる点を説明し、同様の構成部分には同符号を附してその説明は省略する。
【００６０】
この第３実施形態のフライト配列シートＡは、例えば、長方形形状の表示シート体１の表面に４枚のフライトパーツ３Ａの展開図柄Ｄを長手方向に沿って平行配列状態で記載可能な４つの表示エリア１Ａ，１Ｂ，１Ｃ，１Ｄが形成されている。
【００６１】
このフライト配列シートＡには、各表示エリア１Ａ，１Ｂ，１Ｃ，１Ｄの展開図柄Ｄの中心線Ｘ１に沿って展開図柄Ｄを２等分する半図柄Ｄ１，Ｄ１に折畳み可能な谷折り目線ｃが形成されているとともに、表示シート体１における表示エリア１Ａ，１Ｂ，１Ｃ，１Ｄの各境界線上に沿って展開図柄Ｄの半図柄Ｄ１，Ｄ１が合致する重合状態に折畳み可能な山折り目線ｄが形成されている。
【００６２】
フライト配列シートＡには、各表示エリア１Ａ，１Ｂ，１Ｃ，１Ｄのうち前記谷折り目線ｃでの折畳みで重合する半表示エリア（１Ａｂ，１Ｂａ），（１Ｂｂ，１Ｃａ），（１Ｃｂ，１Ｄａ），（１Ａａ，１Ｄｂ）の裏面の一方に、重合する半表示エリア同士を接着可能な粘着性接着層Ｓ１を備えた接着手段Ｓが設けられている。
【００６３】
また、フライト配列シートＡにおける各表示エリア１Ａ，１Ｂ，１Ｃ，１Ｄの他方には、当該半表示エリア１Ａｂ，１Ｂｂ，１Ｃｂ，１Ｄｂと同一形状の芯材シート１０が貼付けられている。
【００６４】
この実施形態のフライト配列シートＡでは、一方の半表示エリア１Ａａ，１Ｂａ，１Ｃａ，１Ｄａの裏面に粘着性接着層Ｓ１が露出形成され、他方の半表示エリア１Ａｂ，１Ｂｂ，１Ｃｂ，１Ｄｂの裏面に芯材シート１０が貼着されている。前記接着手段Ｓは、例えば、アクリル系の粘着性接着層から構成されている。
【００６５】
前記粘着性接着層Ｓ１が設けられている一方の半表示エリア１Ａａ，１Ｂａ，１Ｃａ，１Ｄａの粘着性接着層Ｓ１には、図８，図９に示すように、該半表示エリア１Ａａ，１Ｂａ，１Ｃａ，１Ｄａの大きさに対応する剥離紙１１が貼付けられている。
【００６６】
この実施形態のフライト配列シートＡは、表示シート体１の裏面の全面に粘着性接着剤Ｓ１を塗設して、各表示エリア１Ａ，１Ｂ，１Ｃ，１Ｄの他方の半表示エリア１Ａａ，１Ｂａ，１Ｃａ，１Ｄａに芯材シート１０を貼着し、一方の表示エリア１Ａｂ，１Ｂｂ，１Ｃｂ，１Ｄｂに露出する粘着性接着層Ｓ１に剥離紙１１を貼着することにより作成されている。
【００６７】
このようなフライト配列シートＡは、図示しないが、例えば、巻装された表示シート体１を引き出す引き出し手段と、引き出された表示シート体１の裏面に粘着性接着剤Ｓ１を塗設する接着剤塗設手段と、この後工程として、表示シート体１の引き出し方向と交差する方向に沿って配置された他方の半表示エリア１Ａｂ，１Ｂｂ，１Ｃｂ，１Ｄｂの引き出し方向に沿って、当該半表示エリア１Ａｂ，１Ｂｂ，１Ｃｂ，１Ｄｂと同一幅の巻装された芯材シート１０の引き出し側が連続して貼付けられる芯材シート貼着手段と、表示シート体１の引き出し方向と交差する方向に沿って配置された一方の半表示エリアの引き出し方向に沿って、当該半表示エリア１Ａａ，１Ｂａ，１Ｃａ，１Ｄａと同一幅の巻装された剥離紙１１の引き出し側が連続して貼付けられる剥離紙貼着手段と、前記芯材シート１０と前記剥離紙１１とが貼着された表示シート体１を所定引き出し長さで切断する切断手段とによって量産製造することが可能である。
【００６８】
前記芯材シート１０は、厚さ約３０μｍ〜２００μｍ程度の弾性変形可能な合成樹脂材シートから形成され、熱可塑性樹脂では、ポリエチレン、ポリエチレンテレフタレート、ポリプロピレン、ポリスチレン、アクリル、ＡＢＳ樹脂、塩化ビニル樹脂、メタクリルスチレン樹脂、ポリメチルペンテン等を用いることが可能であり、熱硬化性樹脂としては、ポリウレタン等を用いることが可能である。
【００６９】
前記展開図柄Ｄは、第１実施形態と同様に、表示シート体１の表面に、例えば、インクジェット方式のプリンター等でプリントされ、プリントされる表示シートの表面には、インクのにじみ等の印刷不良を押える等で印刷精度を高めるために、表面処理やコーティング処理が形成されたコーティング層が形成されているものであってもよい。
【００７０】
前記粘着性接着層Ｓ１は、表示シート体１に対する接着力に対して剥離紙１１に対する接着力が弱い接着関係になっている。
【００７１】
このような構成であれば、各表示エリア１Ａ，１Ｂ，１Ｃ，１Ｄを谷折り目線ｃに沿って半表示エリア状態に谷折りし、且つ、山折り目線ｄに沿って半表示エリア（１Ａｂ，１Ｂａ），（１Ｂｂ，１Ｃａ），（１Ｃｂ，１Ｄａ），（１Ａａ，１Ｄｂ）の半図柄Ｄ１，Ｄ１が合致する重合状態に山折りするとともに、重合する半表示エリア（１Ａｂ，１Ｂａ），（１Ｂｂ，１Ｃａ），（１Ｃｂ，１Ｄａ），（１Ａａ，１Ｄｂ）の裏面同士を接着手段で接着することによりフライト予備成形体Ｂを形成し、このフライト予備成形体Ｂを展開図柄Ｄの輪郭３ａに沿って切断し、その分離された４層の表示エリア１Ａ，１Ｂ，１Ｃ，１Ｄをもって４枚のフライトパーツ３Ａが接着されたフライト３を形成することができるというように、フライト配列シートＡからフライト３を簡単に作成することができる。
【００７２】
また、パソコンなどで各フライトパーツ３Ａ内に対応して展開図柄Ｄを設定して、フライト配列シートの表面にプリンター等によって４個所の表示エリアのうち、少なくとも何れか1個所の表示エリアに展開図柄Ｄをパソコン印刷して記載し、記載された１つの展開図柄Ｄの輪郭Ｄａに沿って切断することによってフライト３を作成することができる。
【００７３】
次に、フライト配列シートＡからフライト３を作成する作成方法を図７〜図９に基づいて説明する。
まず、図８，図９に示すように、フライト配列シートＡの表面の表示エリア１Ａ，１Ｂ，１Ｃ，１Ｄにフライトパーツ３Ａの展開図柄Ｄが印刷で記載されたものを準備する。
【００７４】
次に、図９（イ）に示すように、例えば、机上等にフライト配列シートＡの裏側面を上に載置する。
【００７５】
次に、図９（ロ）に示すように、一方の半表示エリア１Ａａ，１Ｂａ，１Ｃａ，１Ｄａから剥離紙１１を剥がして粘着性接着層Ｓ１を露出する。
【００７６】
次に、図９（ハ）、（ニ）に示すように、谷折り目線ｃに沿って表示エリア１Ａ，１Ｂ，１Ｃ，１Ｄを半表示エリア状態に谷折りし、且つ、山折り目線ｄに沿って半表示エリア（１Ａｂ，１Ｂａ），（１Ｂｂ，１Ｃａ），（１Ｃｂ，１Ｄａ），（１Ａａ，１Ｄｂ）の半図柄Ｄ１，Ｄ１が合致する重合状態に山折りする。
【００７７】
次に、図９（ホ）に示すように、重合する半表示エリア（１Ａｂ，１Ｂａ），（１Ｂｂ，１Ｃａ），（１Ｃｂ，１Ｄａ），（１Ａａ，１Ｄｂ）の裏面同士を接着手段Ｓで接着することにより、４箇所のフライトパーツ３Ａが接着されたフライト予備形成体Ｂが形成される。
【００７８】
次に、図９（ヘ）に示すように、このフライト予備成形体Ｂを展開図柄Ｄの輪郭Ｄａに沿って切断し、図９（ト）に示すように、フライト予備形成体Ｂから折畳み状態のフライト３を形成して、これを立体的に広げて、同図（ト）に示すように、十字状に立体化されたフライト３が完成される。
【００７９】
〔第４実施形態〕
図１０，図１１は、本発明を適用した別のフライト配列シートＡを示し、上記第１実施形態と異なる点を説明し、同様の構成部分には同符号を附してその説明は省略する。
【００８０】
この第４実施形態のフライト配列シートＡは、例えば、ポリエチレンテレフタレール材等の合成樹脂材からなる弾性変形可能な長方形形状の表示シート体（厚さ約３０μｍ〜２００μｍ程度のシート）１の表面に４枚のフライトパーツ３Ａの展開図柄Ｄを長手方向に沿って平行配列状態で記載可能な４つの表示エリア１Ａ，１Ｂ，１Ｃ，１Ｄが形成されている。
【００８１】
また、このフライト配列シートＡには、各表示エリア１Ａ，１Ｂ，１Ｃ，１Ｄの展開図柄の中心線Ｘ１に沿って展開図柄Ｄを２等分する半図柄Ｄ１，Ｄ１に折畳み可能な谷折り目線ｃが形成されているとともに、表示シート体１における表示エリア１Ａ，１Ｂ，１Ｃ，１Ｄの各境界線上に沿って展開図柄Ｄの半図柄Ｄ１，Ｄ１が合致する重合状態に折畳み可能な山折り目線ｄが形成されている。
【００８２】
このフライト配列シートＡには、各表示エリア１Ａ，１Ｂ，１Ｃ，１Ｄのうち前記谷折り目線ｃでの折畳みで重合する半表示エリア（１Ａｂ，１Ｂａ），（１Ｂｂ，１Ｃａ），（１Ｃｂ，１Ｄａ），（１Ａａ，１Ｄｂ）の裏面の少なくとも一方に、重合する半表示エリア（１Ａｂ，１Ｂａ），（１Ｂｂ，１Ｃａ），（１Ｃｂ，１Ｄａ），（１Ａａ，１Ｄｂ）の裏面同士を接着可能な粘着性接着層Ｓ１を備えた接着手段Ｓが設けられている。前記接着手段Ｓは、例えば、アクリル系の粘着性接着層から構成されている。
【００８３】
前記粘着性接着層Ｓ１が設けられている表示シート１の裏面には、図１０，１１に示すように、一方の半表示エリア１Ａａ，１Ｂａ，１Ｃａ，１Ｄａの大きさに対応する剥離紙１１が貼付けされている。
【００８４】
前記展開図柄は、第１実施形態と同様に、表示シート体１の表面に、例えば、インクジェット方式のプリンター等でプリントされ、プリントされる表示シートの表面には、インクのにじみ等の印刷不良を押える等で印刷精度を高めるために、表面処理やコーティング処理が形成されたコーティング層が形成されているものであってもよい。
【００８５】
前記粘着性接着層Ｓ１は、表示シート体１に対する接着力に対して剥離紙１１に対する接着力が弱い接着関係になっている。
【００８６】
このような構成であれば、谷折り目線ｃに沿って表示エリア１Ａ，１Ｂ，１Ｃ，１Ｄを半表示エリア１Ａｂ，１Ｂａ，１Ｂｂ，１Ｃａ，１Ｃｂ，１Ｄａ，１Ａａ，１Ｄｂ状態に谷折りし、且つ、山折り目線ｄに沿って半図柄Ｄ１，Ｄ１が合致する重合状態に半表示エリア（１Ａｂ，１Ｂａ），（１Ｂｂ，１Ｃａ），（１Ｃｂ，１Ｄａ），（１Ａａ，１Ｄｂ）を山折りするとともに、重合する半表示エリア（１Ａｂ，１Ｂａ），（１Ｂｂ，１Ｃａ），（１Ｃｂ，１Ｄａ），（１Ａａ，１Ｄｂ）の裏面同士を接着手段Ｓで接着することによりフライト予備成形体Ｂを形成し、このフライト予備成形体Ｂを展開図柄Ｄの輪郭形状に沿って切断し、その分離された４層の表示エリアをもってフライトパーツ３Ａが接着されたフライト３を作成することができるというように、フライト配列シートＡからフライト３を簡単に作成することができる。
【００８７】
次に、フライト配列シートＡからフライト３を作成する作成方法を図１０，図１１に基づいて説明する。
フライト配列シートＡの表側面における表示エリア１Ａ，１Ｂ，１Ｃ，１Ｄにフライトパーツ３Ａの展開図柄Ｄが印刷されたものを準備する。
【００８８】
次に、図１０、図１１（イ）に示すように、例えば、机上等にフライト配列シートＡの裏側面を上に載置する。
【００８９】
次に、図１１（ロ）に示すように、一方の半表示エリア１Ａａ，１Ｂａ，１Ｃａ，１Ｄａの剥離紙１１を剥がして粘着性接着層Ｓ１を露出する。
【００９０】
次に、図１１（ハ）、（ニ）に示すように、表示シート体１の谷折り目線ｃに沿って表示エリア１Ａ，１Ｂ，１Ｃ，１Ｄを半表示エリア１Ａａ，１Ａｂ，１Ｂａ，１Ｂｂ，１Ｃａ，１Ｃｂ，１Ｄａ，１Ｄｂ状態に谷折りし、且つ、山折り目線ｄに沿って半表示エリア１Ａａ，１Ａｂ，１Ｂａ，１Ｂｂ，１Ｃａ，１Ｃｂ，１Ｄａ，１Ｄｂの半図柄Ｄ１，Ｄ１が合致する重合状態に山折りする。
【００９１】
次に、図１１（ホ）に示すように、重合する半表示エリア（１Ａｂ，１Ｂａ），（１Ｂｂ，１Ｃａ），（１Ｃｂ，１Ｄａ），（１Ａａ，１Ｄｂ）の裏面同士を接着手段Ｓで接着することにより、４箇所のフライトパーツ３Ａが接着されたフライト予備形成体Ｂが形成される。
【００９２】
次に、図１１（ヘ）に示すように、このフライト予備成形体Ｂを展開図柄Ｄの輪郭Ｄａに沿って切断し、図１１（ト）に示すように、フライト予備形成体Ｂから折畳み状態のフライト３を形成して、これを立体的に広げて、同図（チ）に示すように、十字状に立体化されたフライト３が完成される。
【００９３】
〔別実施形態〕
【００９４】
［１］  上記第１、２実施形態のフライト配列シートＡにおいては、接着手段Ｓである粘着性接着層Ｓ１が必要な個所のみに塗設されている例について説明したが、本発明はこれに限らず、１番目と３番目の表示エリア１Ａ，１Ｃのフライトパーツ３Ａの展開図柄Ｄに対応する裏側面部分のみに、接着手段Ｓである両面テープの片側粘着性接着層を接着して、この接着された両面テープの剥離紙を剥がして、もう一方の片面粘着性接着層を使用可能に構成するものであってもよい。
この実施形態の場合、上記第１実施形態と同様の作成方法によって、フライト配列シートＡからフライト３を作成することができる。
【００９５】
また、２番目と４番目の表示エリア１Ｂ，１Ｄの谷折り部ｂで２等分する半面部分１Ｂａ，１Ｂｂ，１Ｄａ，１Ｄｂの裏面に対応して、接着手段Ｓである両面テープの片側粘着性接着層を介して接着し、これら両面テープの他方の剥離紙を剥がして粘着性接着層を使用することができるフライト配列シートＡを構成するものであってもよい。
この実施形態の場合、上記第２実施形態と同様の作成方法によって、フライト配列シートＡからフライト３を作成することができる。
【００９６】
［２］  上記各実施形態のフライト３は、ソフトダーツに用いられるものについて説明したが、これに限らず、針先が金属からなるスチールポイントダーツのフライトに用いるものであってもよい。
【００９７】
［３］  上記実施形態では、展開図柄Ｄにフライトパーツ３Ａの展開図柄Ｄの輪郭３ａが表示形成された例を説明したが、本発明はこれに限らず、例えば、無地の輪郭内に図柄や模様等が表示されているような展開図柄等の場合、所望のフライトパーツの輪郭に形成された刃体（固定刃、可動刃）に形成された切断機を用いることによって、所望形状の輪郭を有するフライトを作成することができる。
また、輪郭表示がない展開図柄の場合、輪郭内と輪郭外で色分け等の対比手段を表示シート体に設けて、ハサミ等を用いて色分けされた境界に沿って切断しやすくする構成であってもよい。
【００９８】
［４］  上記第３、４実施形態では、フライト配列シートＡにおいて、各表示エリア１Ａ，１Ｂ，１Ｃ，１Ｄのうち前記谷折り目線ｃでの折畳みで重合する半表示エリア１Ａａ，１Ａｂ，１Ｂａ，１Ｂｂ，１Ｃａ，１Ｃｂ，１Ｄａ，１Ｄｂの裏面の少なくとも一方に、重合する半表示エリア同士を接着可能な粘着性接着層Ｓ１を備えた接着手段Ｓが設けられている例を説明したが、本発明はこれに限らず、各表示エリア１Ａ，１Ｂ，１Ｃ，１Ｄのうち前記谷折り目線ｃでの折畳みで重合する半表示エリア１Ａａ，１Ａｂ，１Ｂａ，１Ｂｂ，１Ｃａ，１Ｃｂ，１Ｄａ，１Ｄｂの裏面の少なくとも一方に、重合する半表示エリア同士を接着可能なホットメルト接着層を備えた接着手段が設けられているものであってもよい。
【００９９】
この場合、フライト配列シートＡを、各表示エリア１Ａ，１Ｂ，１Ｃ，１Ｄを谷折り目線ｃに沿って半表示エリア状態に谷折りし、且つ、山折り目線ｄに沿って半表示エリア１Ａａ，１Ａｂ，１Ｂａ，１Ｂｂ，１Ｃａ，１Ｃｂ，１Ｄａ，１Ｄｂの半図柄Ｄ１，Ｄ１が合致する重合状態に山折りした状態で、重合する半表示エリア（１Ａｂ，１Ｂａ），（１Ｂｂ，１Ｃａ），（１Ｃｂ，１Ｄａ），（１Ａａ，１Ｄｂ）にアイロン等の加熱手段によってアイロンがけして裏面同士を接着することにより、４箇所のフライトパーツ３Ａが接着されたフライト予備形成体Ｂが形成される。
【０１００】
前記ホットメルト接着層は、ポリオレフィン樹脂ホットメルト接着剤、ポリウレタン樹脂ホットメルト接着剤、反応性ホットメルト接着剤等によって構成されている。
【０１０１】
［５］  上記各実施形態では、表示シート体の表面にフライトパーツ３Ａの展開図柄Ｄを、インクジェット方式のプリンター等でプリントして記載するものについて説明したが、本発明はこれに限らず、レーザー方式のプリンターや、シルク印刷、凸印刷、凹印刷等で記載するものであってもよい。
【図面の簡単な説明】
【０１０２】
【図１】本発明を適用した第１実施形態のフライト配列シートを示す平面図
【図２】フライト配列シートに形成された山折り部と谷折り部を模式的に示す説明図
【図３】（イ）はダーツの分解状態を示す斜視図  （ロ）はダーツの組立て状態を示す斜視図
【図４】フライト配列シートを用いたフライト作成方法を順番に示す説明図
【図５】本発明を適用した第２実施形態のフライト作成方法を順番に示す説明図
【図６】本発明を適用した第２実施形態のフライト作成方法を順番に示す説明図
【図７】本発明を適用した第３実施形態のフライト配列シートを示す平面図
【図８】フライト配列シートの構造を示す分解斜視図
【図９】フライト配列シートを用いたフライト作成方法を順番に示す説明図
【図１０】本発明を適用した第３実施形態のフライト配列シートを示す分解斜視図
【図１１】フライト配列シートを用いたフライト作成方法を順番に示す説明図
【符号の説明】
【０１０３】
Ａ              フライト配列シート
Ｂ              フライト予備形成体
ａ              山折り部
ｂ              谷折り部
ｃ              谷折り目線
ｄ              山折り目線
Ｄ              展開図柄
Ｄ１            半図柄
Ｓ              接着手段
Ｓ１            粘着性接着層
Ｓ２            剥離紙
Ｓ３            剥離紙
Ｓ４            剥離紙
Ｓ５            剥離紙
Ｓ６            剥離紙
１              表示シート体
１Ａ            １番目の表示エリア
１Ｂ            ２番目の表示エリア
１Ｃ            ３番目の表示エリア
１Ｄ            ４番目の表示エリア
１Ａａ          一方の半表示エリア
１Ａｂ          他方の半表示エリア
１Ｂａ          一方の半表示エリア
１Ｂｂ          他方の半表示エリア
１Ｃａ          一方の半表示エリア
１Ｃｂ          他方の半表示エリア
１Ｄａ          一方の半表示エリア
１Ｄｂ          他方の半表示エリア
２              ダーツ
３              フライト
３Ａ            フライトパーツ
１０            芯材シート
１１            剥離紙
Ｘ１            展開図柄の中心線
【図１】
2009247556.tif 000003
【図２】
2009247556.tif 000004
【図３】
2009247556.tif 000005
【図４】
2009247556.tif 000006
【図５】
2009247556.tif 000007
【図６】
2009247556.tif 000008
【図７】
2009247556.tif 000009
【図８】
2009247556.tif 000010
【図９】
2009247556.tif 000011
【図１０】
2009247556.tif 000012
【図１１】
2009247556.tif 000013